(57)【要約】【課題】不活性ガスが充填される貯蔵タンクの小型化を図ることができるとともに、効率の良い消火を行うことのできる機械式立体駐車場装置の提供。【解決手段】昇降路３と直交する方向に車両格納空間１が延設される機械式立体駐車場装置にあって、火災の検知に応じて火災検知信号を出力する複数の火災感知器（２０）、不活性ガスが充填される貯蔵タンク２１、不活性ガスを噴射する複数の噴射ノズル（２２）、貯蔵タンク２１から噴射ノズル（２２）に亘って延設される配管２３、火災検知信号に応じて不活性ガスを噴射させる消火制御手段（２５）、および火災検知信号に応じて車両格納空間１を縦分割し、複数の防火区画Ｂ、Ｃを形成する可動式の仕切り２６を設け、防火区画毎に消火可能とし、酸素濃度を所定値まで下げるために要する不活性ガスの量を低減して貯蔵タンク２１の小型化を図り、かつ効率の良い消火を実現するものである。【選択図】図１
2009046826.tif 000002
【特許請求の範囲】
【請求項１】
建屋の車両入出庫部に通じるように垂直方向に形成される昇降路と、この昇降路に設置され、車両を載置した状態で昇降可能な昇降機と、前記昇降路と直交する方向に延設される車両格納空間と、前記建屋に設置され、火災の検知に応じて火災検知信号を出力する複数の火災感知器と、不活性ガスが充填される貯蔵タンクと、前記建屋に設置され、前記不活性ガスを噴射する複数の噴射ノズルと、前記貯蔵タンクから前記噴射ノズルに亘って延設される配管と、前記火災検知信号に応じて前記不活性ガスを噴射させる消火制御手段とを備えた機械式立体駐車装置において、
前記火災検知信号に応じて前記車両格納空間を縦分割し、複数の防火区画を形成する可動式の仕切りを設けるとともに、前記消火制御手段は、前記火災検知信号を出力した火災感知器が設置される防火区画に前記不活性ガスを放出することを特徴とする立体駐車場装置。
【請求項２】
前記配管を、前記防火区画毎に異なる系統とするとともに、これらの配管は選択弁を介して前記貯蔵タンクに接続されることを特徴とする請求項１記載の機械式立体駐車場装置。
【発明の詳細な説明】
【技術分野】
【０００１】
本発明は、昇降機により車両を建屋の車両格納空間に運搬する機械式立体駐車場装置に係り、特に、火災発生時に不活性ガスを建屋内に放出することにより、酸素濃度を下げて消火する機械式立体駐車場装置に関する。
【背景技術】
【０００２】
一般に、機械式立体駐車場装置は、建屋の車両入出庫部にて昇降機に車両を載置し、目的とする車両格納空間まで車両を運搬して格納するとともに、この格納箇所から再び昇降機により車両を車両入出庫部まで運搬して出庫させるようになっている。そして、このような機械式立体駐車場装置の中には、昇降路と直交する方向に延設される車両格納空間を有するものがある。
【０００３】
このように構成される従来の機械式立体駐車場装置にあっては、昇降機により目的とする車両格納空間まで車両を運搬することから、車両格納空間は通常、無人となる。この利点を生かし消火設備として、二酸化炭素、窒素等の不活性ガスを利用したものが設置されることが多い。すなわち、車両格納空間に設置され、火災の検知に応じて火災検知信号を出力する複数の火災感知器と、不活性ガスが充填される貯蔵タンクと、車両格納空間に設置され、不活性ガスを噴射する複数の噴射ノズルと、貯蔵タンクから噴射ノズルに亘って延設される配管と、火災検知信号に応じて不活性ガスを噴射させる消火制御手段とを備え、火災発生時に不活性ガスを建屋内に放出し、酸素濃度を下げて消火するようになっている（例えば、特許文献１参照）。
【特許文献１】特開２０００−２４１２９号公報
【発明の開示】
【発明が解決しようとする課題】
【０００４】
ところで、前述したような機械式立体駐車場装置の消火設備は、火災発生時に建屋内全体に不活性ガスが放出される構造である。このため、例えば車両格納空間が大容積のものであると、火災発生時に酸素濃度を所定値まで下げるために不活性ガスも車両格納空間の容積に見合った量とする必要があり、大容量の貯蔵タンクおよびこの貯蔵タンクを格納する比較的大きなスペースが必要となる。しかしながら、一般に機械式立体駐車場が必要とされるのは敷地に制限がある場所であり、装置の省スペース化が望まれている。また、火災発生時に大容積の車両格納空間全体に不活性ガスを放出した場合、放出した不活性ガスを車両格納空間全体から排出し、その後再び同量の、すなわち車両格納空間の容積に見合った量の不活性ガスを補充する必要があり、コストがかかるという問題もあった。
【０００５】
本発明は、前述した従来技術における実状からなされたもので、その目的は、不活性ガスが充填される貯蔵タンクの小型化を図ることができるとともに、効率の良い消火を行うことのできる機械式立体駐車場装置を提供することにある。
【課題を解決するための手段】
【０００６】
前記目的を達成するために、本発明の請求項１に係る発明は、建屋の車両入出庫部に通じるように垂直方向に形成される昇降路と、この昇降路に設置され、車両を載置した状態で昇降可能な昇降機と、前記昇降路と直交する方向に延設される車両格納空間と、前記建屋に設置され、火災の検知に応じて火災検知信号を出力する複数の火災感知器と、不活性ガスが充填される貯蔵タンクと、前記建屋に設置され、前記不活性ガスを噴射する複数の噴射ノズルと、前記貯蔵タンクから前記噴射ノズルに亘って延設される配管と、前記火災検知信号に応じて前記不活性ガスを噴射させる消火制御手段とを備えた機械式立体駐車装置において、前記火災検知信号に応じて前記車両格納空間を縦分割し、複数の防火区画を形成する可動式の仕切りを設けるとともに、前記消火制御手段は、前記火災検知信号を出力した火災感知器が設置される防火区画に前記不活性ガスを放出することを特徴としている。
【０００７】
このように構成した本発明の請求項１に係る発明は、火災の検知に応じて火災感知器が火災検知信号を出力すると、仕切りが稼動し、昇降路と直交する方向に延設される車両格納空間を縦分割して複数の防火区画を形成する。そして、消火制御手段は、貯蔵タンクから配管および噴射ノズルを介して火災検知信号を出力した火災感知器が設置される防火区画に不活性ガスを噴射し、消火を行う。このように、車両格納空間を複数に分割して防火区画毎に消火可能とすることにより、酸素濃度を所定値まで下げるために要する不活性ガスの量を低減し、貯蔵タンクの小型化が可能となる。
【０００８】
また、本発明の請求項２に係る発明は、前記配管を、前記防火区画毎に異なる系統とするとともに、これらの配管は選択弁を介して前記貯蔵タンクに接続されることを特徴としている。
【０００９】
このように構成した本発明の請求項２に係る発明は、火災の検知に応じて火災感知器が火災検知信号を出力すると、消火制御手段は火災検知信号を出力した火災感知器が設置される防火区画に対応する選択弁を開放し、貯蔵タンクから配管および噴射ノズルを介して所定の防火区画に不活性ガスを噴射して消火を行う。これによって、１つの防火区画に必要とされる不活性ガスを充填した貯蔵タンクで建屋全体の消火に備えることができ、貯蔵タンクの小型化を図ることができる。また、貯蔵タンクを、全ての防火区画で消火を行うために必要とされる不活性ガスを充填可能な容量とし、複数の防火区画で同時に消火可能とした場合でも、延焼の程度に応じて個々の防火区画に必要とされる不活性ガスのみを放出することが可能であり、効率の良い消火を行うことができる。
【発明の効果】
【００１０】
本発明によれば、可動式の仕切りにより車両格納空間を縦分割して防火区画毎に消火可能とすることにより、酸素濃度を所定値まで下げるために要する不活性ガスの量を低減して貯蔵タンクを小型化し、消火設備の省スペース化を図ることができる。また、火災発生時に放出される不活性ガスの量は所定の防火区画に応じたものであることから、不活性ガス補充に要するコストの低減も図ることができる。また放出する不活性ガスの量を低減できることにより、放出された不活性ガスを車両格納空間から人体に影響のない安全な濃度まで下げるためにかかるコストも低減できる。
【発明を実施するための最良の形態】
【００１１】
以下、本発明に係る機械式立体駐車場装置の実施の形態を図に基づいて説明する。
【００１２】
図１は本発明に係る機械式立体駐車場装置の一実施形態を示す概略構成図、図２は仕切りにより車両格納空間を縦分割した状態を示す概略構成図、図３は機械式立体駐車場装置における消火動作手順を示すフローチャートである。
【００１３】
図１、２に示す本実施形態の機械式立体駐車場装置は、例えば地下１階Ｂ１および地下２階Ｂ２の各階に車両格納空間１が形成されるものである。この機械式立体駐車場装置は、建屋Ａの地上１階Ｇに設けられる車両入出庫部２と、この車両入出庫部２に通じるように垂直方向に形成されるとともに、横長の車両格納空間１の一方側に配置される第１の昇降路３と、この第１の昇降路３に設置され、車両を載置した状態で昇降可能な第１の昇降機４と、車両格納空間１の他方側に配置される第２の昇降路５と、この第２の昇降路５に設置され、車両を載置した状態で昇降可能な第２の昇降機６と、車両が載置可能であるとともに、第１の昇降機４および第２の昇降機６に搭載可能であり、かつ、地下１階Ｂ１および地下２階Ｂ２の車両格納空間１を公知の手段により横方向に移動可能な複数のパレット７とを有している。
【００１４】
そして、機械式立体駐車場装置には消火施設として、建屋Ａに設置され、火災の検知に応じて火災検知信号を出力する複数の火災感知器２０ａ、２０ｂ、２０ｃ、２０ｄ、２０ｅと、不活性ガス、例えば窒素が充填される貯蔵タンク２１と、建屋Ａに設置され、不活性ガスを噴射する複数の噴射ノズル２２ａ、２２ｂ、２２ｃ、２２ｄ、２２ｅと、貯蔵タンク２１から噴射ノズル２２ａ〜２２ｅに亘って延設される配管２３と、この配管２３と貯蔵タンク２１との間に介設される選択弁２４と、火災検知信号に応じて不活性ガスを噴射させる消火制御部２５と、火災検知信号に応じて車両格納空間１を縦分割し、防火区画Ｂおよび防火区画Ｃを形成する可動式の仕切り２６とが設けられている。なお、防火区画Ｂは、車両格納空間１の一方側、車両入出庫部２および第１の昇降路３からなっているとともに、防火区画Ｃは、車両格納空間１の他方側および第２の昇降路５からなっている。
【００１５】
また、前述の配管２３は防火区画毎に異なる系統とされ、配管２３ａは防火区画Ｂに亘って延設されるとともに選択弁２４ａを介して貯蔵タンク２１に接続されている。一方、配管２３ｂは防火区画Ｃに亘って延設されているとともに選択弁２４ｂを介して貯蔵タンク２１に接続されている。さらに、消火制御部２５は、火災検知信号に応じて仕切り２６を稼動させる稼動信号、および選択弁２４ａ、２４ｂを開放させる開放信号を出力するようになっている。また、仕切り２６は、地下１階Ｂ１の天井部に設置された第１の仕切り２６ａおよび地下２階Ｂ２の天井部に設置された第２の仕切り２６ｂからなっており、火災検知信号に応じて下降することで車両格納空間１を縦分割し、防火区画Ｂおよび防火区画Ｃを形成する。さらに、貯蔵タンク２１は、１つの防火区画、すなわち、防火区画Ｂおよび防火区画Ｃのうち容積の大きい防火区画の酸素濃度を所定値まで下げるために要する不活性ガスが充填される容量となっている。
【００１６】
本実施形態にあっては、例えば車両格納空間１の図中右手、第１の昇降機４近傍に格納してある車両Ｄから何らかの理由により火の手が上がると、手順Ｓ１として例えば火災感知器２０ｂが火災を検知して火災検知信号を出力する。この火災検知信号に応じて消火制御部２５は稼動信号を出力して手順Ｓ２に示すように仕切り２６を稼動させる。すなわち、図２に示すように地下１階Ｂ１の天井部に設置された第１の仕切り２６ａ、および地下２階Ｂ２の天井部に設置された第２の仕切り２６ｂが下降させ、横方向に延設される車両格納空間１を縦分割し、防火区画Ｂおよび防火区画Ｃを形成する。
【００１７】
次に、消火制御部２５は手順Ｓ３として火災検知信号を出力した火災感知器２０ｂが設置される防火区画Ｂに対応する選択弁２４ａに開放信号を出力する。この開放信号に応じて手順Ｓ４として選択弁２４ａが開放され、手順Ｓ５に示すように貯蔵タンク２１から配管２３ａおよび噴射ノズル２２ａ、２２ｂ、２２ｃを介して防火区画Ｂに窒素が放出される。この窒素の放出により手順Ｓ６に示すように防火区画Ｂの酸素濃度が低下し、消火が行われる。
【００１８】
このように構成される本実施形態によれば、横方向に延設される車両格納空間１を縦分割し、防火区画毎に消火可能とすることにより、１つの防火区画に必要とされる窒素を充填した貯蔵タンク２１で建屋Ａ全体の消火に備えることができることから、貯蔵タンク２１を小型化して消火設備の省スペース化を図ることができる。また、火災発生時に放出される窒素の量は所定の防火区画に応じたものであることから、窒素補充に要するコストの低減も図ることができる。また放出する窒素の量を低減できることにより、放出された窒素を車両格納空間から人体に影響のない安全な濃度まで下げるためにかかるコストも低減できる。
【００１９】
なお、前述した本実施形態では、機械式立体駐車場装置を地下に車両格納空間が形成されるものとしたが、本発明はこれに限らず、昇降路と直交する方向に車両格納空間が延設されるタワー式の機械式立体駐車場装置に用いることもできる。また、本実施形態では、２つの防火区画に分割する構造としたが、車両格納空間１の大きさに応じ任意に防火区画の数を設定できる。また、貯蔵タンク２１に充填される窒素の容量を、１つの防火区画の酸素濃度を所定値まで下げるために要する容量としたが、貯蔵タンクを、全ての防火区画、すなわち防火区画Ｂおよび防火区画Ｃで消火を行うために必要とされる不活性ガスを充填可能な容量とし、防火区画Ｂおよび防火区画Ｃで同時に消火可能としてさらなる安全性を確保するようにしてもよい。そして、このように構成した場合でも、延焼の程度に応じて個々の防火区画に必要とされる不活性ガスのみを放出することが可能であり、効率の良い消火を行うことができる。また、貯蔵タンクおよび配管を、防火区画毎に設け、防火区画毎の消火を可能とすることもできる。
【図面の簡単な説明】
【００２０】
【図１】本発明に係る機械式立体駐車場装置の一実施形態を示す概略構成図である。
【図２】仕切りにより車両格納空間を縦分割した状態を示す概略構成図である。
【図３】機械式立体駐車場装置における消火動作手順を示すフローチャートである。
【符号の説明】
【００２１】
１  車両格納空間
２  車両入出庫部
３  第１の昇降路
４  第１の昇降機
５  第２の昇降路
６  第２の昇降機
７  パレット
２０ａ〜２０ｅ  火災検知器
２１  貯蔵タンク
２２ａ〜２２ｅ  噴射ノズル
２３  配管
２４  選択弁
２５  消火制御部
２６  仕切り
Ａ  建屋
Ｂ  防火区画
Ｃ  防火区画
【図１】
2009046826.tif 000003
【図２】
2009046826.tif 000004
【図３】
2009046826.tif 000005